(57)【特許請求の範囲】
【請求項１】
鍵盤部が配設された楽器本体と、
前記楽器本体に対して回動自在に左右一対設けられ、回動操作により前記楽器本体に対して回動する回動部材と、
前記左右一対の回動部材の間において前記回動部材に対して回動自在に設けられ、回動操作により前記回動部材に対して回動し、静電型スピーカが内蔵された鍵盤蓋とを有し、
前記回動部材の回動操作及び前記鍵盤蓋の回動操作により、前記鍵盤蓋は、前記鍵盤部を覆う閉状態と前記鍵盤部を演奏可能に露出させる開状態とに変位することが可能であり、
さらに、前記楽器本体に対する前記回動部材の回動可能な全領域のうち途中の回動位置にて前記回動部材を維持する第１の維持手段と、
前記回動部材に対する前記鍵盤蓋の回動可能な全領域のうち途中の回動位置にて前記鍵盤蓋を維持する第２の維持手段とを有することを特徴とする電子鍵盤楽器。
【請求項２】
前記鍵盤蓋の前記静電型スピーカは、閉状態において、前記回動部材に対する前記鍵盤蓋の回動支点よりも前側となる位置から後側となる位置にかけて配設されていることを特徴とする請求項１記載の電子鍵盤楽器。
【請求項３】
前記鍵盤蓋は、閉状態において前記鍵盤部の上方に位置する主部と前記鍵盤部の前方に位置する前部とを有し、前記静電型スピーカは前記鍵盤蓋の前記主部に配設され、前記主部の表面と裏面の双方から放音可能であることを特徴とする請求項１または２記載の電子鍵盤楽器。
【請求項４】
前記鍵盤蓋には、前記静電型スピーカの音響を放音するための複数の放音穴が設けられ、前記鍵盤蓋には、可動して前記複数の放音穴を開閉自在なシャッタ部材が配設されたことを特徴とする請求項１〜３のいずれか１項に記載の電子鍵盤楽器。
【請求項５】
前記静電型スピーカは、前記鍵盤部の全幅に亘って配設されたことを特徴とする請求項１〜４のいずれか１項に記載の電子鍵盤楽器。
【発明の詳細な説明】
【技術分野】
【０００１】
本発明は、鍵盤蓋にスピーカを配設した電子鍵盤楽器に関する。
【背景技術】
【０００２】
従来、鍵盤蓋にスピーカを配設した電子鍵盤楽器が知られている。例えば、下記特許文献１の楽器では、分割され折り畳み自在に結合された２つの蓋部材のうち前側の蓋部材の裏側にスピーカを内蔵している。そして、開蓋状態においてスピーカから楽音が発生するようになっている。
【先行技術文献】
【特許文献】
【０００３】
【特許文献１】特許第４２０７７４２号公報
【発明の概要】
【発明が解決しようとする課題】
【０００４】
しかしながら、特許文献１の楽器においては、鍵盤蓋に内蔵されるスピーカはコーンスピーカであるため鍵盤蓋の厚みが厚くなるだけでなく、重量も大きいことから開閉操作が重くなるという欠点を有する。
【０００５】
本発明は上記従来技術の問題を解決するためになされたものであり、その目的は、鍵盤蓋の厚み及び重量を抑制しつつ鍵盤蓋から楽音を発生させることができる電子鍵盤楽器を提供することにある。
【課題を解決するための手段】
【０００６】
上記目的を達成するために本発明の請求項１の電子鍵盤楽器は、鍵盤部（ＫＢ）が配設された楽器本体（１０）と、前記楽器本体に対して回動自在に左右一対設けられ、回動操作により前記楽器本体に対して回動する回動部材と、前記左右一対の回動部材の間において前記回動部材に対して回動自在に設けられ、回動操作により前記回動部材に対して回動し、静電型スピーカが内蔵された鍵盤蓋（２０）とを有し、前記回動部材の回動操作及び前記鍵盤蓋の回動操作により、前記鍵盤蓋は、前記鍵盤部を覆う閉状態と前記鍵盤部を演奏可能に露出させる開状態とに変位することが可能であり、さらに、前記楽器本体に対する前記回動部材の回動可能な全領域のうち途中の回動位置にて前記回動部材を維持する第１の維持手段と、前記回動部材に対する前記鍵盤蓋の回動可能な全領域のうち途中の回動位置にて前記鍵盤蓋を維持する第２の維持手段とを有することを特徴とする。
【０００８】
好ましくは、前記鍵盤蓋は、閉状態において前記鍵盤部の上方に位置する主部（２１）と前記鍵盤部の前方に位置する前部（２２）とを有し、前記静電型スピーカは前記鍵盤蓋の前記主部に配設され、前記主部の表面と裏面の双方から放音可能である（請求項３）。好ましくは、前記鍵盤蓋には、前記静電型スピーカの音響を放音するための複数の放音穴（２５ａ）が設けられ、前記鍵盤蓋には、可動して前記複数の放音穴を開閉自在なシャッタ部材（２７）が配設される（請求項４）。好ましくは、前記静電型スピーカは、前記鍵盤部の全幅に亘って配設される（請求項５）。
【０００９】
なお、上記括弧内の符号は例示である。
【発明の効果】
【００１０】
本発明の請求項１によれば、鍵盤蓋の厚み及び重量を抑制しつつ鍵盤蓋から楽音を発生させることができる。
【００１３】
請求項３によれば、閉蓋状態においても楽音を発生させることができる。
【００１４】
請求項４によれば、所望により静電型スピーカの音響を遮音することができる。
【００１５】
請求項５によれば、発音源を横方向に広く感じるようにすることができる。
【図面の簡単な説明】
【００１６】
【図１】本発明の一実施の形態に係る電子鍵盤楽器の閉蓋状態の上面図、正面図、右側面図である。
【図２】同電子鍵盤楽器の開蓋状態の正面図、右側面図である。
【図３】閉蓋状態における本電子鍵盤楽器の右端部の上面図、上部の右側面図である。
【図４】変形例の鍵盤蓋を採用する電子鍵盤楽器の開蓋状態の右側上部の正面図、右側面図である。
【発明を実施するための形態】
【００１７】
以下、本発明の実施の形態を図面を参照して説明する。
【００１８】
図１（ａ）、（ｂ）、（ｃ）は、本発明の一実施の形態に係る電子鍵盤楽器の閉蓋状態の上面図、正面図、右側面図である。図２（ａ）、（ｂ）は、同電子鍵盤楽器の開蓋状態の正面図、右側面図である。以降、上下方向、左右方向については図１（ｂ）を基準として呼称するとし、前後方向については奏者が位置する側（図１（ｂ）の手前側）を前側とする。
【００１９】
図１、図２に示すように、本電子鍵盤楽器は、脚部１１で支持される楽器本体１０に鍵盤部ＫＢを備え、鍵盤部ＫＢの下方に左右一対のコーンスピーカ１２が設けられる。楽器本体１０には、回動して開閉操作される鍵盤蓋２０が配設される。鍵盤蓋２０は、楽器本体１０に対して相対的に回動軸部１４を中心に回動し、鍵盤部ＫＢを覆う閉状態（閉蓋状態）と鍵盤部ＫＢを演奏可能に露出させる開状態（開蓋状態）とに変位する。鍵盤部ＫＢは、閉状態において鍵盤部ＫＢの上方に位置する主部２１と鍵盤部ＫＢの前方に位置する前部２２とで構成される。
【００２０】
回動軸部１４の軸線上における主部２１の左右の側部には調節部１３が突出して設けられる。調節部１３の締め込みの程度により、回動軸部１４を中心とした鍵盤蓋２０の回動動作への負荷を調節することができる。鍵盤蓋２０の回動可能な全領域のうち途中の開閉位置であっても調節は可能である。従って、例えば、鍵盤蓋２０を所望の開閉位置にして調節部１３を強く締め込めば、その開閉位置にて鍵盤蓋２０が安定維持される。弱めに締め込めば、鍵盤蓋２０を手で回動させることが可能で且つ、手を放せばその開閉位置に維持されるようにもすることができる。
【００２１】
鍵盤蓋２０の主部２１には、静電型スピーカ２４（別称ＴＬＦ（Thin・Light・Flexible））が内蔵される。この静電型スピーカ２４は薄型軽量で柔軟性・可撓性があるいわゆる面スピーカであり、例えば、特開２０１０−６８０５３号公報に示されている公知の構成である。
【００２２】
概略の構成としては、静電型スピーカ２４は、間隔を開けて向かい合う２枚の電極と、２枚の電極の間に挿入された導電性を有するシート状の振動体とから構成される。振動体に所定のバイアス電圧を印加しておき、電極に印加する電圧を変化させると、振動体に作用する静電力が変化し、これにより振動体が変位する。この印加電圧を入力される音響信号に応じて変化させれば、それに応じて振動体は変位を繰り返し（すなわち振動し）、音響信号に応じた再生波が振動体から発生する。
【００２３】
一般に静電型スピーカは、低音域における音響特性が優れないため、電子鍵盤楽器において積極的にメインのスピーカとして採用されるものではなかった。しかし静電型スピーカには、コーンスピーカにはない特徴がある。
【００２４】
例えば静電型スピーカは平面波を生じさせ、平板の面積を広くとるほど音の指向性が平板に垂直な方向に強くなり、その結果、音が遠くまで到達するという遠達性を有する。さらに両側の面から放音が可能である。薄型フレキシブル静電型スピーカにおいては特に、小型軽量であり、また柔軟性があるので湾曲させたりひねったり等、形状に自由度がある。
【００２５】
そこで本実施の形態では、静電型スピーカ２４を鍵盤蓋２０に配設し、向きを変化させるようにしている。静電型スピーカ２４は、鍵盤部ＫＢの全幅に亘って配設される。
【００２６】
図３（ａ）、（ｂ）は、閉蓋状態における本電子鍵盤楽器の右端部の上面図、図３（ｃ）は、上部の右側面図であり、鍵盤蓋２０の一部を断面で示している。以降、鍵盤蓋２０の主部２１については、閉蓋状態における上面、下面をそれぞれ表面、裏面と呼称する。
【００２７】
図３（ｃ）に示すように、主部２１の表面に面一に表側板部材２５が配設され、主部２１の裏面に面一に裏側板部材２６が配設される。図３（ａ）に示すように、表側板部材２５は、放音穴２５ａが多数形成されたパンチングメタルやメッシュ型の部材等でなる。放音穴２５ａと非穴部２５ｂとが前後左右に交互に、碁盤目状に配列されている。裏側板部材２６についても同様に構成される。
【００２８】
また、表側板部材２５と裏側板部材２６との間に静電型スピーカ２４が配設される。表側板部材２５と静電型スピーカ２４との間において、表側板部材２５に対向当接するようにシャッタ部材２７が配設される。板部材２５、２６、静電型スピーカ２４及びシャッタ部材２７は平行である。
【００２９】
シャッタ部材２７は前後方向または左右方向にスライド移動自在に構成され、摘まみ部２３を手動操作することによって、例えば前後方向に変位する。シャッタ部材２７には、放音穴２５ａ及び非穴部２５ｂと同様の放音穴及び非穴部が同様の配列間隔で形成されている。摘まみ部２３の操作により、シャッタ部材２７は、前方位置と後方位置との間を変位可能である。
【００３０】
シャッタ部材２７を前方位置にすると、シャッタ部材２７の放音穴及び非穴部が表側板部材２５の放音穴２５ａ及び非穴部２５ｂの位置に一致する（図３（ａ）参照）。この場合は放音穴２５ａが開放されるので、静電型スピーカ２４から発する音響が、シャッタ部材２７の放音穴及び表側板部材２５の放音穴２５ａを通じて表側に放音される。一方、シャッタ部材２７を後方位置にすると、シャッタ部材２７の放音穴が表側板部材２５の非穴部２５ｂの位置に一致する（図３（ｂ）参照）。この場合は、放音穴２５ａが閉じられるので、静電型スピーカ２４から発する音響が遮音されることになる。このようなシャッタ部材２７の位置の操作は、鍵盤蓋２０の開閉位置にかかわらず可能である。
【００３１】
裏側板部材２６については、シャッタ部材を設けていないので、静電型スピーカ２４から発する音響が常に放音される。従って、鍵盤蓋２０を開け、シャッタ部材２７を前方位置（開放）とすれば、鍵盤蓋２０の表面と裏面の双方から同時に放音が可能である。
【００３２】
ただし、シャッタ部材２７は、鍵盤蓋２０の表裏双方に設けてもよいし、裏面だけに設けてもよい。表裏双方に設けた場合、例えば、閉蓋時には裏面遮音、開蓋時には表面遮音という使い方が考えられる。なお、放音穴２５ａを開閉する機構は、シャッタ部材２７のようにスライド移動する機構でなくてもよい。また、鍵盤蓋２０の表面については放音穴２５ａを設けず、裏面からのみ放音される構成としてもよい。なお、表側板部材２５または裏側板部材２６を設けることなく、放音穴を主部２１に直接形成してもよい。
【００３３】
本電子鍵盤楽器は、図示はしないが、鍵盤部ＫＢで入力された演奏データや予め設定された演奏データ等を楽音信号に変換する音源回路や楽音信号に各種効果を付与する効果回路を有する。楽音信号は、コーンスピーカ１２と静電型スピーカ２４の双方に供給される。しかし、信号を分離し、中・高音域の楽音信号だけを静電型スピーカ２４で音響に変換するようにしてもよい。静電型スピーカ２４は、音響の変化をもたらすだけでなく、中・高音域の音響の補助やモニタ用にも適している。
【００３４】
本実施の形態によれば、軽量で薄型の静電型スピーカ２４が鍵盤蓋２０に内蔵されたので、鍵盤蓋２０の厚み及び重量を抑制しつつ鍵盤蓋２０から楽音を発生させることができる。鍵盤蓋２０の開閉操作も重くならない。また、静電型スピーカ２４は、鍵盤部ＫＢの全幅に亘って配設されるので、発音源を横方向に広く感じるようにすることができる。例えば、奏者が頭部を左右に動かしても常に音が近くから聞こえる。特に、静電型スピーカ２４は、いわゆる面音源であり、コーンスピーカのような点音源とは異なる音響を奏者に与える。そのため、発音源の位置感覚や音の広がり感等、奏者が感じる音響が、いかにも電子楽器の音響というものとは違ったものにすることができる。
【００３５】
また、調節部１３が、鍵盤蓋２０を所望の開閉位置で維持する維持手段の役割を果たすので、音の指向を鍵盤蓋２０の開閉位置で調節することができ、音の広がり感を可変とし、奏者が感じる音響を多様に変化させることができる。維持手段の構成は調節部１３に限られず、段階的な位置で鍵盤蓋２０を係止するストッパ等であってもよい。
【００３６】
また、鍵盤蓋２０の主部２１の表面と裏面の双方から放音可能であるので、閉蓋状態においても楽音を発生させることができる。これは、演奏ではなく、例えば、演奏データに基づく自動演奏等に好適である。
【００３７】
また、鍵盤蓋２０の主部２１の表側には、可動して複数の放音穴２５ａを開閉自在なシャッタ部材２７が配設されたので、所望により静電型スピーカ２４の表側への音響を遮音することができる。
【００３８】
ところで、本実施の形態では、回動軸部１４を中心に鍵盤蓋２０を回動動作させることで、静電型スピーカ２４が一体に回動軸部１４を中心に回動する構成であったが、静電型スピーカ２４の角度や姿勢を可変にする構成として、図４に示す変形例を採用してもよい。
【００３９】
図４（ａ）、（ｂ）は、変形例の鍵盤蓋２０を採用する電子鍵盤楽器の開蓋状態の右側上部の正面図、右側面図である。
【００４０】
図４（ａ）、（ｂ）に示すように、楽器本体１０には、左右一対の回動部材１５（右側のもののみ図示）が、回動軸部１４を中心に回動自在に設けられる。調節部１３の締め込みの程度により、回動軸部１４を中心とした回動部材１５の回動動作への負荷を調節することができる。鍵盤蓋２０は、回動部材１５の先端部に回動軸部２９を中心として回動自在に設けられる。回動軸部２９は、左右方向（鍵並び方向）に平行である。
【００４１】
回動軸部２９の軸線上における主部２１の左右の側部には調節部１３と同様の構成の調節部２８が突出して設けられる。調節部２８の締め込みの程度により、回動軸部２９を中心とした鍵盤蓋２０の回動部材１５に対する回動動作への負荷を調節することができる。
【００４２】
詳細な図示は省略するが、表側板部材２５、裏側板部材２６、静電型スピーカ２４及びシャッタ部材２７の構成は図１〜３で示したものと同様とする。
【００４３】
図４の変形例によれば、回動部材１５は楽器本体１０に対して相対的に回動自在であり、鍵盤蓋２０は回動部材１５に対して相対的に回動自在である。従って、鍵盤蓋２０は、楽器本体１０に対して、２段階の回動機構による回動変位が可能になっている。しかも、調節部１３、２８の締め込み操作によって、２段階それぞれの回動領域の途中でその位置を維持できる。従って、鍵盤蓋２０は、角度だけでなく、回動中心の位置までも可変とすることができる。
【００４４】
これにより、静電型スピーカ２４の姿勢及び位置を可変とし、発音源の位置及び音の指向を調節することができる。静電型スピーカ２４は指向性が強いので、所望の位置で所望の角度に向けることで、音の伝達方向を可変とし、所望の方向に主として中・高音域を提供することができるだけでなく、奏者にとっての音響も大きく変化する。例えば、奏者に直接向ければコーンスピーカ１２と共に上下に広がり感が大きくなり、あるいは室内の壁に反射させて奏者に届くようにすることもできる。従って、音の指向を上下方向に可変とすると共に、部屋の壁や天井等での音の反射を利用した音響の多様な変化を実現可能になる。
【００４５】
なお、図４の例では、２段階の回動機構により静電型スピーカ２４と一体となって鍵盤蓋２０の姿勢が楽器本体１０に対して可変であるとしたが、これに限られない。例えば、図１〜図３に示すような１段階の回動機構で回動する鍵盤蓋２０に対して、静電型スピーカ２４が相対的に回動し、角度可変となるように構成してもよい。あるいは、静電型スピーカ２４と楽器本体１０との間に３段階以上の回動機構を介在させてもよく、軸方向が異なる回動機構を混在させてもよい。
【００４６】
なお、以上に説明した静電型スピーカ２４の回動方向、設定可能な位置や姿勢の態様は一例であり、例示したものに限定されない。
【００４７】
なお、静電型スピーカ２４は、鍵盤楽器以外の装置の蓋体に内蔵することも可能であり、例えば、ギター等の楽器ケースの開閉蓋にも適用可能である。
【００４８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４９】
１０  楽器本体、  １３、２８  調節部（維持手段）、  １５  回動部材、  ２０  鍵盤蓋、  ２１  主部、  ２２  前部、  ２４  静電型スピーカ、  ２５ａ  放音穴、  ２７  シャッタ部材、  ＫＢ  鍵盤部
【図１】
0005561285.tif 000002
【図２】
0005561285.tif 000003
【図３】
0005561285.tif 000004
【図４】
0005561285.tif 000005